(57)【要約】    【課題】      伝送効率の低下を抑えつつ、柔軟なブロードキャスト／マルチキャストサービスを提供すること。    【解決手段】  制御局装置１００は、装置全体を制御する制御部１１０と、スケジューリング情報及びスケジューリング情報により通知されるパケットデータを生成するデータ生成部１２０とを備え、生成した各パケットをマルチキャスト送信フレームで基地局装置１５０に転送する。データ生成部１２０は、バッファ１２１、スケジューリング部１２２、及びデータ組立部１２３を備え、スケジューリング情報の配置又はインターバルを、サービスに応じて変える。固定スケジューリング情報６０１の送信周期の間で、かつサービス毎のパケットに対応する位置にサービス付加スケジューリング情報６０２を配置することでサービス毎にスケジューリング情報を変えている。  【選択図】      図４
2006340218.tif 000002
【特許請求の範囲】
【請求項１】
サービス毎のパケットが時分割配置されるマルチキャスト送信フレームにおいて、固定周期毎に前記サービス毎のパケットのスケジューリング内容を示す第１スケジューリング情報を配置し、前記固定周期の間で、かつ前記サービス毎のパケットに対応する位置に第２スケジューリング情報を配置する配置手段と、
配置された前記サービス毎のパケット、前記第１及び第２スケジューリング情報を移動局装置に向けて送信する送信手段と
を備えることを特徴とするパケット送信装置。
【請求項２】
前記配置手段は、取得した前記スケジューリング情報から各サービスのスケジューリング情報を取り出し、各サービス毎に取り出したスケジューリング情報を、前記第２スケジューリング情報として、サービス毎のパケットに対応する位置にそれぞれ配置することを特徴とする請求項１記載のパケット送信装置。
【請求項３】
前記配置手段は、前記サービス毎のパケットの直後に前記第２スケジューリング情報を配置することを特徴とする請求項１又は請求項２に記載のパケット送信装置。
【請求項４】
サービス毎のパケットのスケジューリング内容を示すスケジューリング情報を取得するステップと、
前記サービス毎のパケットが時分割配置されるマルチキャスト送信フレームにおいて、固定周期毎に第１スケジューリング情報を配置するステップと、
前記固定周期の間で、かつ前記サービス毎のパケットに対応する位置に第２スケジューリング情報を配置するステップと、
配置された前記サービス毎のパケット、前記第１及び第２スケジューリング情報を移動局装置に向けて送信するステップと
を有することを特徴とするパケット送信方法。
【発明の詳細な説明】
【技術分野】
【０００１】
本発明は、ＭＢＭＳ（Multimadia Broadcast/ Multicast Service）等の１対多数の通信形態において使用される制御情報を送信するパケット送信装置及びパケット送信方法に関する。
【背景技術】
【０００２】
移動体通信の分野においては、最近、マルチメディア・ブロードキャスト／マルチキャスト・サービス（Multimedia Broadcast/Multicast Service：以下、ＭＢＭＳという）に関する技術的な検討が行われている（例えば、非特許文献１参照）。ＭＢＭＳで行われる通信は、１対１（Point to Point:P-to-P）の通信ではなく、１対多（Point to Muiti:P-to-M）の通信となる。すなわち、ＭＢＭＳでは、１つの基地局が複数の移動局に対して同時に同じデータ（例えば、音楽データやビデオ画像データ等）を送信する。
【０００３】
ＭＢＭＳには、ブロードキャストモード（Broadcast Mode）とマルチキャストモード（Multicast Mode）とがある。ブロードキャストモードが現在のラジオ放送のように全移動局に対して情報送信するようなモードであるのに対し、マルチキャストモードはニュースグループ等そのサービスに加入している特定の移動局に対してのみ情報送信するようなモードが想定される。
【０００４】
ＭＢＭＳを行うことの利点としては以下のことが挙げられる。すなわち、ストリーミング・サービス等で、基地局から送信される情報をそれぞれの移動局が１チャネルずつ使用して受信すると、その情報を受信したい移動局が増えた場合に、無線回線にかかる負荷が大きくなってしまう。しかし、ＭＢＭＳを使用すると、移動局が増えた場合でもそれらの移動局すべてが同じチャネルを使用して情報を受信するので、無線回線にかかる負荷を増大させることなく情報受信できる移動局を増加させることができる。現在、ＭＢＭＳを用いたサービスとしては、交通情報の配信、音楽配信、駅でのニュース配信、スポーツ中継の配信等が考えられており、８〜２５６ｋｂｐｓ程度の伝送レートで行うことが検討されている。
【０００５】
ＭＢＭＳにおいて複数の移動局に対して同時に同じデータを送信するためのチャネルとして、現在のＷ−ＣＤＭＡ移動通信方式で使用されているＳ−ＣＣＰＣＨ（Secondary Common Control Physical Channel）を用いることが検討されている。Ｓ−ＣＣＰＣＨは下り方向の共通チャネルで、現在のＷ−ＣＤＭＡ移動通信方式では、ページング信号及び上位レイヤからのデータ送信のために使用されている。また、Ｓ−ＣＣＰＣＨでは、送信電力制御が行われておらず、セル全体をカバーできるような比較的大きな一定の送信電力でデータが送信されている（例えば、非特許文献２参照）。この一定の送信電力は、上位レイヤ（制御局）から基地局へ指示される。
【０００６】
図８は、従来のパケット送信装置の構成例を示す図である。図８に示すように、ＭＢＭＳのサービスシステムは、基地局装置であるパケット送信装置１１と上位装置である無線制御装置１２と移動局装置１３とで構成される。
【０００７】
パケット送信装置１１は、パケット送信手段１４を備えている。パケット送信手段１４には、無線制御装置１２から、ＭＢＭＳサービス（図示例ではサービスＡ、サービスＢ、サービスＣの３つ）のパケット及びスケジューリング情報が並列に入力される。スケジューリング情報には、サービス毎のパケットのスケジューリング内容（各サービスのパケットを送信する際のタイミング、送信する時間の長さなど）が記載されている。
【０００８】
パケット送信手段１４は、スケジューリング情報（Scheduling Information：S.I.）に基づき、マルチキャスト送信フレームに、データパケット（サービスＡ）、データパケット（サービスＢ）、データパケット（サービスＣ）を時分割配置し、またスケジューリング情報パケットを当該フレームの最終位置に配置し、物理チャネルを用いて移動局装置１３に向けて送信する。図９を参照して、具体的に説明する。
【０００９】
図９は、従来のパケット送信方法を説明する図である。図９において、ＴＴＩ（Transmission time interval）は、１パケットを送信する時間間隔である。Ａ（Ａ１〜Ａ９）はＭＢＭＳサービスＡのパケットであり、Ｂ（Ｂ１〜Ｂ６）はＭＢＭＳサービスＢのパケットであり、Ｃ（Ｃ１，Ｃ２）はＭＢＭＳサービスＣのパケットであり、Ｓ（Ｓ１，Ｓ２，Ｓ３）はスケジューリング情報パケット（MBMS Scheduling Information）である。
【００１０】
図９では、３つのマルチキャスト送信フレーム（ａ）（ｂ）（ｃ）が示されているが、各マルチキャスト送信フレームは、１８ＴＴＩで構成され、先頭から１７番目のＴＴＩまでがデータパケットの配置用であり、最終の１ＴＴＩがスケジューリング情報パケットＳの配置用であるとしている。そして、これらは、図９に示す例では、（ａ）（ｂ）（ｃ）の順に連続して物理チャネル上に送出される。
【００１１】
要するに、ＭＢＭＳサービスのパケットを乗せる物理チャネル上では、スケジューリング情報パケットＳが、一定の間隔で（図９に示す例では１８ＴＴＩに一回の割合で）送信される。このスケジューリング情報パケットＳには、次のスケジューリング情報パケットＳを送信するまでの１７ＴＴＩの区間において送信されるＭＢＭＳサービス毎の送信開始タイミングとその長さ（ＴＴＩ数）とが記載されている。
【００１２】
図９（ａ）に示すマルチキャスト送信フレームでは、時刻Ｔ＝０〜時刻Ｔ＝１７までの１７ＴＴＩにはデータパケットが無く、最終位置にスケジューリング情報パケットＳ１が挿入されている。パケット送信手段１４は、まず、スケジューリング情報を無線制御装置１２から受け取ると、図９（ａ）に示すように、その内容を移動局装置１３にスケジューリング情報パケットＳ１として通知する。
【００１３】
スケジューリング情報パケットＳ１には、次のマルチキャスト送信フレーム（ｂ）において、例えば、時刻Ｔ＝１８から長さ６ＴＴＩの区間ではサービスＡのパケットＡ１〜Ａ６が送信され、時刻Ｔ＝２７から長さ３ＴＴＩの区間ではサービスＢのパケットＢ１〜Ｂ３が送信され、時刻Ｔ＝３２から長さ１ＴＴＩの区間ではサービスＣのパケットＣ１が送信されることが記載されている。
【００１４】
そこで、パケット送信手段１４は、スケジューリング情報パケットＳ１の内容を反映した図９（ｂ）に示すマルチキャスト送信フレームを生成して移動局装置１３に向けて送信する。すなわち、図９（ｂ）に示すように、このマルチキャスト送信フレームでは、時刻Ｔ＝１８から長さ６ＴＴＩの区間にサービスＡのパケットＡ１〜Ａ６が配置され、時刻Ｔ＝２７から長さ３ＴＴＩの区間にサービスＢのパケットＢ１〜Ｂ３が配置され、時刻Ｔ＝３２から長さ１ＴＴＩの区間にサービスＣのパケットＣ１が配置され、最終位置にスケジューリング情報パケットＳ２が挿入されている。
【００１５】
ＭＢＭＳサービスＡ，Ｂ，Ｃのいずれかのサービスを受ける移動局装置１３は、マルチキャスト送信フレーム（ａ）のスケジューリング情報パケットＳ１を受信することで、引き続いて送られてくるマルチキャスト送信フレーム（ｂ）において受けたいサービスの開始タイミングとその長さ（ＴＴＩ数）とを知ることができるので、ユーザは受けたいサービスのパケットを受信することが可能となる。そして、移動局装置１３には、パケット送信装置１１毎にどのタイミングでスケジューリング情報パケットが送信されているかを予め既知情報として通知されているので、セル間を移動してもＭＢＭＳサービスのパケットを受信することができる。
【００１６】
同様に、図９（ｂ）に示すマルチキャスト送信フレームで移動局装置１３に通知するスケジューリング情報パケットＳ２には、例えば、時刻Ｔ＝３６から長さ３ＴＴＩの区間ではサービスＡのパケットＡ７〜Ａ９が送信され、時刻Ｔ＝４１から長さ３ＴＴＩの区間ではサービスＢのパケットＢ４〜Ｂ６が送信され、時刻Ｔ＝５０から長さ１ＴＴＩの区間ではサービスＣのパケットＣ２が送信されることが記載されている。
【００１７】
そして、パケット送信手段１４は、スケジューリング情報パケットＳ２の内容を反映した図９（ｃ）に示すマルチキャスト送信フレームを生成して移動局装置１３に向けて送信する。すなわち、図９（ｃ）に示すように、このマルチキャスト送信フレームでは、時刻Ｔ＝３６から長さ３ＴＴＩの区間にサービスＡのパケットＡ７〜Ａ９が配置され、時刻Ｔ＝４１から長さ３ＴＴＩの区間にサービスＢのパケットＢ４〜Ｂ６が配置され、時刻Ｔ＝５０から長さ１ＴＴＩの区間にサービスＣのパケットＣ２が配置され、最終位置にスケジューリング情報パケットＳ３が挿入されている。以降、同様のマルチキャスト送信動作が繰り返される。
【００１８】
以下、スケジューリング情報（Scheduling Information）についてさらに詳細に説明する。
【００１９】
図１０は、３ＧＰＰで議論されているＭＢＭＳにおけるScheduling Informationの構成を示す図である。ＭＢＭＳでは、トラフィックチャネルとして、制御用のＭＣＣＨ（ＭＢＭＳ Control Channle）が、データ用のＭＴＣＨ（ＭＢＭＳ Traffic Channel）が考えられている。これらは共にＳ−ＣＣＰＣＨ（Secondary Common Control Physical Channle）いう物理チャネルにマッピングされ、基地局から移動局に伝送される。
【００２０】
ここで、一つのＳ−ＣＣＰＣＨに複数のＭＴＣＨをマッピングすることを考える。この時、各ＭＴＣＨの送信タイミングと固定するとサービスの自由度が低くなるため、送信タイミングは固定しないこととする。そのためには、各ＭＴＣＨがいつ送信されるかを知らせるためのスケジューリング情報が必要になる。
【００２１】
３ＧＰＰの寄書であるR2-040756に、スケジューリング情報の例が示されている。図１０に示すように、６４フレーム（６４０ｍｓ）に一回スケジューリング情報が送信され、各サービス毎のＭＴＣＨの送信開始時刻と送信される長さが記されている。例えば、図１０（ａ）に示すスケジューリング情報の構成において、図１０（ｂ）に示すようにサービス１のデータの位置／長さは、「２５６（フレーム番号）／３２（フレーム長さ）」（Scheduling InformationのＳＦＮ２５５）、「３２０／３２」（Scheduling InformationのＳＦＮ３１９）、「３８４／３２」（Scheduling InformationのＳＦＮ３８３）、「４４８／３２」（Scheduling InformationのＳＦＮ４４７）により通知される。同様に、サービス２のデータの位置／長さは、「２９２／１６」（Scheduling InformationのＳＦＮ２５５）、「３５６／８」（Scheduling InformationのＳＦＮ３１９）、「４２０／１６」（Scheduling InformationのＳＦＮ３８３）、「４８４／８」（Scheduling InformationのＳＦＮ４４７）により通知される。また、サービス３のデータの位置／長さは、「５０８／８」（Scheduling InformationのＳＦＮ２５５，ＳＦＮ３１９，ＳＦＮ３８３，ＳＦＮ４４７）のみである。
【００２２】
また、この例ではScheduling Informationを固定周期で送信することで、素早くScheduling Informationを検出することを提案している。
【非特許文献１】3GPP TS 22.146 V6.0.0(2002-06): 3rd Generation Partnership Project; Technical Specification Group Services and System Aspects; Multimedia Broadcast/Multicast Service; Stage 1(Release 6) 2002年6月
【非特許文献２】3GPP TS 25.211 V5.1.0(2002-06): 3rd Generation Partnership Project; Technical Specification Group Radio Access Network; Physical channels and mapping of transport channels onto physical channels (FDD) (Release 5) 2002年6月 5.3.3.4 Secondary Common Control Physical Channel (S-CCPCH)
【発明の開示】
【発明が解決しようとする課題】
【００２３】
しかしながら、このような従来のパケット通信装置にあっては、上述したようにスケジューリング情報を固定間隔で送信していたため以下のような問題がある。
【００２４】
図１１及び図１２は、固定間隔で送信されるスケジューリング情報の一例を示す図である。
【００２５】
図１１に示すように、６４フレーム（６４０ｍｓ）に一回スケジューリング情報が送信されるので、６４フレームより短い間隔で複数のＭＴＣＨを送りたいようなサービスがあった場合、受信することができなくなる。例えば、図１１に示すように、サービス１のデータを６４フレームより短い間隔で複数（２つ）送信することはできない。より正確には６４フレームより短い間隔で複数のＭＴＣＨが送られても、スケジューリング情報で位置／長さを知らせることができず、その結果受信することができない。これは、前記図１０（ｂ）に示すスケジューリング情報からも明らかである。
【００２６】
これを避けるため、送信周期を短くして送信する態様を採った場合、細かく設定されたスケジューリング情報を必ず読み取りにいかなければならず、無駄な情報を送ることが多くなり伝送効率が落ちてしまう。また、消費電力の増大を招く。
【００２７】
また、図１２に示すサービス２のように、スケジューリング情報とデータの送信区間が時間的に近い場合、データの無い間で、他の基地局からの信号をモニタしたり、消費電力削減のために受信機を止めるような制御ができなくなる場合がある。
【００２８】
本発明は、かかる点に鑑みてなされたものであり、伝送効率の低下を抑えつつ、柔軟なブロードキャスト／マルチキャストサービスを提供することができるパケット送信装置及びパケット送信方法を提供することを目的とする。
【課題を解決するための手段】
【００２９】
本発明のパケット送信装置は、サービス毎のパケットが時分割配置されるマルチキャスト送信フレームにおいて、固定周期毎に前記サービス毎のパケットのスケジューリング内容を示す第１スケジューリング情報を配置し、前記固定周期の間で、かつ前記サービス毎のパケットに対応する位置に第２スケジューリング情報を配置する配置手段と、配置された前記サービス毎のパケット、前記第１及び第２スケジューリング情報を移動局装置に向けて送信する送信手段とを備える構成を採る。
【００３０】
本発明のパケット送信方法は、サービス毎のパケットのスケジューリング内容を示すスケジューリング情報を取得するステップと、前記サービス毎のパケットが時分割配置されるマルチキャスト送信フレームにおいて、固定周期毎に第１スケジューリング情報を配置するステップと、前記固定周期の間で、かつ前記サービス毎のパケットに対応する位置に第２スケジューリング情報を配置するステップと、配置された前記サービス毎のパケット、前記第１及び第２スケジューリング情報を移動局装置に向けて送信するステップとを有する。
【発明の効果】
【００３１】
本発明によれば、伝送効率の低下を抑えつつ、柔軟なブロードキャスト／マルチキャストサービスを提供することができる。
【００３２】
また、移動端末の回路規模及び消費電力を削減することができる。
【発明を実施するための最良の形態】
【００３３】
以下、本発明の一実施の形態について、図面を参照して詳細に説明する。
【００３４】
（実施の形態１）
図１は、本発明の実施の形態１に係るＭＢＭＳを提供するパケット送信装置の構成を示すブロック図である。まず、ＭＢＭＳに関するパケットを送信するパケット送信装置について説明する。
【００３５】
図１において、制御局装置（ＲＮＣ：Radio Network Controller）１００は、装置全体を制御する制御部１１０と、スケジューリング情報（Scheduling Information）及びこのジューリング情報により通知されるパケットデータを生成するデータ生成部１２０とを備え、生成した各パケットをマルチキャスト送信フレームで基地局装置（Ｎｏｄｅ  Ｂ）１５０に転送する。
【００３６】
図２は、上記データ生成部１２０の構成を示すブロック図である。図２において、データ生成部１２０は、バッファ１２１、スケジューリング部１２２、及びデータ組立部１２３を備えて構成される。
【００３７】
バッファ１２１は、ネットワークからのＭＢＭＳサービスのパケットを一時的に保存する。スケジューリング部１２２は、パケット及び制御信号を基に、サービス毎のパケットのスケジューリング内容（各サービスのパケットを送信する際のタイミング、送信する時間の長さなど）を作成する。制御部１１０から供給される制御信号には、優先度（サービスクラス）、許容遅延などがある。スケジューリング部１２２は、バッファ１２１の状態を監視し、例えば、各受信端末（ＵＥ：User Equipment）宛てのバッファ量、制御部１１０から受信した下りデータが受信端末に送信されるまでの時間であるバッファ滞留時間などを監視（または推定）する。
【００３８】
データ組立部１２３は、スケジューリング部１２２の記載情報に基づき、マルチキャスト送信フレームに、複数のデータパケット（例えば、サービス１，サービス２，サービス３）を時分割配置し、またスケジューリング情報を当該フレームの最終位置を含む所定位置に配置し、物理チャネルを用いて移動局装置に向けて送信する。本パケット送信装置は、スケジューリング情報の配置又はインターバルを、サービスに応じて変えることに特徴がある。実施の形態１は、サービス毎のパケットが時分割配置されるマルチキャスト送信フレームにおいて、固定スケジューリング情報を配置し、固定周期の間で、かつサービス毎のパケットに対応する位置にサービス付加スケジューリング情報を配置する例である。
【００３９】
図３は、ＭＢＭＳに関するパケットを受信するパケット受信装置の構成を示すブロック図である。
【００４０】
図３において、パケット受信装置２００は、アンテナ２０１、受信部２０２、スケジューリング情報判断部２０３、スケジューリング情報制御部２０４、受信制御部２０５、及びデータ処理部２０６を備えて構成される。
【００４１】
受信部２０２は、基地局装置から送信されたデータを受信し、受信したデータをデータ処理部２０６に転送するとともに、データに含まれる制御信号をスケジューリング情報判断部２０３に出力する。また、受信部２０２は、自身の受信可能転送レートを取得し、受信した受信可能転送レートで受信を行う。ＨＳＤＰＡ（High Speed Downlink Packet Access）対応の受信端末には、例えば、最大３Ｍｂｐｓまでしか受信できないものや、最大１４Ｍｂｐｓまで受信できるものなどがあり、その能力は受信端末毎に異なるためである。
【００４２】
スケジューリング情報判断部２０３は、ＭＢＭＳサービスのパケットから、固定間隔で送信される固定スケジューリング情報を判別する。固定スケジューリング情報は、例えば６４フレーム（６４０ｍｓ）に一回送信される従来技術と同様のスケジューリング情報である。
【００４３】
スケジューリング情報制御部２０４は、ＭＢＭＳサービスのパケットから、サービスに関連して付加されたサービス付加スケジューリング情報を判別するため、次に見るべき前記サービス付加スケジューリング情報を受信するように制御する。サービス付加スケジューリング情報は、固定間隔で送信される固定スケジューリング情報とは別に、サービス毎に制御信号の送信間隔が変更されるスケジューリング情報である。サービス付加スケジューリング情報は、サービスに関連して付加されているところに特徴があり、送信間隔についてもサービス毎に変更される。サービスを、基本単位としてスケジューリング情報が付加されるため、以下に述べるように、伝送効率の低下を抑えつつ、柔軟なブロードキャスト／マルチキャストサービスを提供することができる。
【００４４】
データ処理部２０６は、前記固定スケジューリング情報又はサービス付加スケジューリング情報に従って受信部２０２から取得したパケットデータを処理し上位レイヤ処理部に出力する。
【００４５】
以下、上述のように構成されたパケット送信装置及びパケット受信装置の動作について説明する。
【００４６】
図４は、本実施の形態１に係るパケット送信装置が送信するスケジューリング情報の一例を示す図である。
【００４７】
図４において、マルチキャスト送信フレームでは、例えば、時刻Ｔ＝２６２から長さ１６ＴＴＩの区間及び時刻Ｔ＝３００から長さ１６ＴＴＩの区間ではサービス１のパケットデータ（Service 1 data）５０１が送信され、時刻Ｔ＝２７８から長さ１６ＴＴＩの区間ではサービス２のパケットデータ（Service 2 data）５０２が送信され、時刻Ｔ＝５０８から長さ８ＴＴＩの区間ではサービス３のパケットデータ（Service 3 data）５０３が送信される。
【００４８】
そして、６４フレーム（６４０ｍｓ）に一回スケジューリング情報（固定スケジューリング情報）６０１が送信されるとともに、サービス毎に付加されたスケジューリング情報（サービス付加スケジューリング情報）６０２が送信される。図４の例では、サービス２のパケットデータ５０２の直後にサービス付加スケジューリング情報６０２が付加される。
【００４９】
固定スケジューリング情報６０１及びサービス付加スケジューリング情報６０２には、いずれも各サービス毎のＭＴＣＨの送信開始時刻と送信される長さが記されている。固定スケジューリング情報６０１は、例えば前記図１０（ｂ）に示したスケジューリング情報に記載されている内容であり、従来送信していた内容である。サービス付加スケジューリング情報６０２は、本実施の形態で新たに設けたスケジューリング情報であり、サービス毎に付加される。サービスに関連して付加されるものであればよく、すべてのサービスに付加する必要はない。また、付加する位置も限定されるものではないが、パケットデータの直後に設けることが好ましい。図４の例では、サービス２のパケットデータ５０２の直後にサービス付加スケジューリング情報６０２を付加し、サービス１のパケットデータ５０１、サービス３のパケットデータ５０３にはサービス付加スケジューリング情報は付加していない。なお、固定スケジューリング情報６０１の内容を最適化することによりサービス付加スケジューリング情報６０２を不要にすることができる。これについては図６及び図７により後述する。
【００５０】
いま、マルチキャスト送信フレームで送信されるサービス１のパケットデータ５０１，サービス２のパケットデータ５０２，サービス３のパケットデータ５０３のうち、サービス１のパケットデータ５０１が、６４フレームより短い間隔で複数のＭＴＣＨを送りたいようなサービスであるとする。図４に示すように、固定スケジューリング情報６０１だけでは、サービス１のパケットデータ５０１を６４フレームより短い間隔で複数（２つ）送信することはできない。本実施の形態では、６４フレームより短い間隔でサービス付加スケジューリング情報６０２を付加しているので、このサービス付加スケジューリング情報６０２を用いサービス毎のより詳細な位置／長さを知らせることで６４フレームより短い複数のＭＴＣＨを送信することができる。このサービス付加スケジューリング情報６０２の内容は、固定スケジューリング情報６０１の内容にさらに、サービス毎のスケジューリング情報と次の固定フレーム間で読み取られる次のサービス付加スケジューリング情報６０２の位置／長さを知らせる情報を有する。
【００５１】
このように、６４フレームより短い間隔で複数のパケットデータを送りたいものに関してはサービス付加スケジューリング情報６０２を付加することで、サービス毎にスケジューリング情報の送信間隔を変え、伝送効率の低下を抑えつつ、柔軟なブロードキャスト／マルチキャストサービスを提供することができる。
【００５２】
ここで、サービス付加スケジューリング情報６０２は、固定スケジューリング情報６０１の内容を併せ持ち、かつ次の固定フレーム間で読み取られる自身のサービス付加スケジューリング情報６０２の位置／長さをも有することから、受信端末が一旦サービス付加スケジューリング情報６０２を取り込むことができれば、固定スケジューリング情報６０１は省略することが可能になる。但し、新規参加の受信端末のために固定スケジューリング情報６０１は残しておくことが好ましい。
【００５３】
このように、実施の形態１によれば、固定スケジューリング情報６０１の送信周期の間で、かつサービス毎のパケットに対応する位置にサービス付加スケジューリング情報６０２を配置することでサービス毎にスケジューリング情報を変えているので、サービス毎に制御情報を送るタイミングを変化させることができる。これにより、６４フレームより短い間隔でサービス毎のパケットのスケジューリング内容（位置／長さ）を知らせることができ、所望のサービスのデータについて複数送信することができる。特に、固定スケジューリング情報の送信周期を一律に短くして送信する態様ではないため、無駄な情報を送ることを防ぐことができ、伝送効率を保ちつつ消費電力の増大を防止し、柔軟なサービスを行うことができる。
【００５４】
（実施の形態２）
図５は、実施の形態２に係るパケット送信装置が送信するスケジューリング情報の一例を示す図である。本実施の形態の説明にあたり図４と同一構成要素には同一符号を付している。
【００５５】
また、実施の形態２に係るパケット送信装置及びパケット受信装置の構成は、図１乃至図３の実施の形態１に示した構成要素と同一ないしは同等であるため説明を省略する。
【００５６】
図５において、マルチキャスト送信フレームでは、例えば、時刻Ｔ＝２５６から長さ３２ＴＴＩの区間ではサービス１のパケットデータ（Service 1 data）７０１が送信され、時刻Ｔ＝２９２から長さ１６ＴＴＩの区間ではサービス２のパケットデータ（Service 2 data）７０２が送信され、時刻Ｔ＝５０８から長さ８ＴＴＩの区間ではサービス３のパケットデータ（Service 3 data）７０３が送信される。
【００５７】
そして、６４フレーム（６４０ｍｓ）に一回スケジューリング情報（Scheduling Information for All Service）６０１が送信されるとともに、サービス毎に付加されたスケジューリング情報（サービス付加スケジューリング情報）８０１，８０２，８０３が送信される。実施の形態２では、パケットデータの近傍でスケジューリング情報８０１，８０２，８０３を送信することを特徴とする。具体的には、サービス１のパケットデータ７０１の直後にサービス１のみに関するサービス付加スケジューリング情報（Scheduling Information for Service_1）８０１が、サービス２のパケットデータ７０２の直後にサービス２のみに関するサービス付加スケジューリング情報（Scheduling Information for Service_2）８０２が、サービス３のパケットデータ７０３の直後にサービス３のみに関するサービス付加スケジューリング情報（Scheduling Information for Service_3）８０３がそれぞれ送信される。換言すれば、各サービスのスケジューリング情報をまとめて送信する態様に代えて、サービス毎にスケジューリング情報（Scheduling Information Service）を送信するものである。
【００５８】
実施の形態２の制御信号伝達方法について説明する。サービス１のパケットデータ（Service 1 data）７０１で、サービス１のデータが送信され、その付近でサービス１のみに関するサービス付加スケジューリング情報８０１が送信される。サービス１を受信している受信端末は、このスケジューリング情報８０１を見て、次の送信タイミングと長さを知る。サービス２を受信している受信端末は、同様にサービス１のパケットデータ７０１とスケジューリング情報８０２を受信し、次の受信に備える。ここで、サービス１のパケットデータ７０１とスケジューリング情報８０１は、トランスポートチャネルの多重化（TrCH Multiplexing）を用いて、同一のタイミングで送信するようにしても良い。サービス２のパケットデータ７０２とスケジューリング情報８０２についても同様である。さらに、スケジューリング情報（Scheduling Information for All Service）６０１で、新規にサービスに加入する受信端末のために従来例のようにすべてのサービス用のスケジューリング情報（Scheduling Information）を送信するようにしてもよい。データの周期や長さが固定であるようなサービスの場合には、スケジューリング情報６０１において一度周期信号である旨を伝えることで、以後のスケジューリング情報６０１を見る必要をなくすようにしてもよい。
【００５９】
このように、実施の形態２によれば、サービス毎のパケットデータの直後に該当サービスのみに関するスケジューリング情報を送信しているので、スケジューリング情報とデータとの時間間隔を大きくすることが可能になり、その間に他の基地局をモニタしたり、受信を止めたりできるため移動機の回路規模及び消費電力を削減することができる。すなわち、従来例では図１２に示すように、スケジューリング情報とデータの送信区間が時間的に近い場合、サービス２の受信とＳｌｅｅｐ準備及びＷａｋｅｕｐが重なるためサービス２を受けている受信端末は、間欠受信ができなかった。これに対して、実施の形態２では、図５に示すように自己の受けたサービス（ここではサービス２）の直後に次のスケジューリングがスケジューリング情報８０２により伝えられるため、サービス２を受けている受信端末は、固定スケジューリング情報６０１を見ることなく、サービス１における期間においてＳｌｅｅｐ準備及びＷａｋｅｕｐを行うことができる。以上、サービス２を例に採り説明したが、他のサービスについても同様である。要するに、各受信端末は、自己の受けたサービスの直後に該当サービスの次のスケジューリング情報を得ることができるので、該当サービスが来るタイミングをサービス毎に事前に知ることができる。これにより、自己が必要としないサービスや該当サービスが来るまではＳｌｅｅｐ準備に入ることができ、より一層消費電力を削減することができる。
【００６０】
（実施の形態３）
図６は、実施の形態３に係るパケット送信装置が送信するスケジューリング情報の一例を示す図である。本実施の形態の説明にあたり図４と同一構成要素には同一符号を付している。
【００６１】
また、実施の形態３に係るパケット送信装置及びパケット受信装置の構成は、図１乃至図３（実施の形態１）に示した構成要素と同一ないしは同等であるため説明を省略する。
【００６２】
図６（ａ）において、マルチキャスト送信フレームでは、６４フレーム（６４０ｍｓ）に一回スケジューリング情報（Scheduling Information for All Service）９０１が送信される。実施の形態３では、図４及び図５の固定スケジューリング情報６０１と異なり、スケジューリング情報９０１は、図６（ｂ）に示すように、一度で複数のデータの箇所を通知する内容を持つ。例えば、前記図１０（ｂ）と図６（ｂ）を比較すれば明らかなように、スケジューリング情報９０１は、一つのスケジューリング情報に複数のデータの送信箇所を示している。例えば、図６（ｂ）のScheduling Info at SFN255では、ＭＢＭＳ Service 1のスケジューリング情報として、ＳＦＮＳ２６２から１６フレーム間の送信とＳＦＮ３００から１６フレーム間の送信があることを通知している。これにより、固定スケジューリング情報９０１の周期は６４０ｍｓであっても、実質的なデータの周期を３８０ｍｓに短縮することができるため、柔軟なサービス形態を採ることができる。
【００６３】
また、実施の形態３では、制御局装置及び移動局装置など既存の無線通信システムに変更を加える必要がなく、実施が容易で、低コストで実現できる効果がある。
【００６４】
上述した実施の形態３は、固定周期で送信するスケジューリング情報全般に適用することができることは勿論のこと、実施の形態２及び実施の形態３の制御情報伝達方法に適用することも可能である。これにより、制御情報の送信周期より短い周期でデータを伝送することができ、より一層の伝送効率の向上と消費電力の低減を図ることができる。
【００６５】
（実施の形態４）
図７は、実施の形態４に係るパケット送信装置が送信するスケジューリング情報の一例を示す図である。本実施の形態の説明にあたり図５と同一構成要素には同一符号を付している。
【００６６】
また、実施の形態４に係るパケット送信装置及びパケット受信装置の構成は、図１乃至図３（実施の形態１）に示した構成要素と同一ないしは同等であるため説明を省略する。
【００６７】
図７（ａ）において、マルチキャスト送信フレームでは、６４フレーム（６４０ｍｓ）に一回スケジューリング情報（Scheduling Information for All Service）１００１が送信される。実施の形態４では、図４及び図５の固定スケジューリング情報６０１と異なり、スケジューリング情報１００１は、図７（ｂ）に示すように、送信周期をも通知する内容を持つ。例えば、図７（ｂ）のScheduling Info at SFN255では、ＭＢＭＳ Service 1のスケジューリング情報として、ＳＦＮＳ２５６から３２フレーム間の送信とその周期がPeriodic６４であることを通知している。これにより、周期的なサービスについては、その旨を通知することで、データを周期的に送信する場合、以降の制御信号を見なくて良いため移動端末の消費電力を削減することができる。
【００６８】
また、実施の形態４では、制御局装置及び移動局装置など既存の無線通信システムに変更を加える必要がなく、実施が容易で、低コストで実現できる効果がある。
【００６９】
上述した実施の形態４は、固定周期で送信するスケジューリング情報全般に適用することができることは勿論のこと、実施の形態１乃至実施の形態３の制御情報伝達方法に適用することも可能である。これにより、より一層の伝送効率の向上と消費電力の低減を図ることができる。
【００７０】
以上の説明は本発明の好適な実施の形態の例証であり、本発明の範囲はこれに限定されることはない。
【００７１】
また、上記実施の形態では、パケット送信装置、パケット受信装置及びパケット送信方法という名称を用いたが、これは説明の便宜上であり、移動端末、無線通信装置、パケット受信方法等でもよいことは勿論である。
【００７２】
また、上記パケット送信装置及びパケット受信装置を構成する各回路部の種類、数及び接続方法などは前述した実施の形態に限られない。
【００７３】
また、以上説明したパケット送信方法は、この送信方法を機能させるためのプログラムでも実現される。このプログラムはコンピュータで読み取り可能な記録媒体に格納されている。
【産業上の利用可能性】
【００７４】
本発明に係るパケット送信装置及びパケット送信方法は、システム全体のスループット低下を抑制する効果を有し、特に無線回線を介してパケットを高速に通信するＨＳＤＰＡ方式を適用した無線通信システムにおいて有用である。
【図面の簡単な説明】
【００７５】
【図１】本発明の実施の形態１に係るパケット送信装置の構成を示すブロック図
【図２】上記実施の形態１に係るパケット送信装置のデータ生成部の構成を示すブロック図
【図３】本実施の形態１に係るパケット受信装置の構成を示すブロック図
【図４】上記実施の形態１に係るパケット送信装置が送信するスケジューリング情報の一例を示す図
【図５】本発明の実施の形態２に係るパケット送信装置が送信するスケジューリング情報の一例を示す図
【図６】本発明の実施の形態３に係るパケット送信装置が送信するスケジューリング情報の一例を示す図
【図７】本発明の実施の形態４に係るパケット送信装置が送信するスケジューリング情報の一例を示す図
【図８】従来のパケット送信装置の構成例を示す図
【図９】従来のパケット送信方法を説明する図
【図１０】ＭＢＭＳにおけるScheduling Informationの構成を示す図
【図１１】従来の固定間隔で送信されるスケジューリング情報の一例を示す図
【図１２】従来の固定間隔で送信されるスケジューリング情報の一例を示す図
【符号の説明】
【００７６】
１００  制御局装置
１１０  制御部
１２０  データ生成部
１２１  バッファ
１２２  スケジューリング部
１２３  データ組立部
１５０  基地局装置
２００  パケット受信装置
２０１  アンテナ
２０２  受信部
２０３  スケジューリング情報判断部
２０４  スケジューリング情報制御部
２０５  受信制御部
２０６  データ処理部
【図１】
2006340218.tif 000003
【図２】
2006340218.tif 000004
【図３】
2006340218.tif 000005
【図４】
2006340218.tif 000006
【図５】
2006340218.tif 000007
【図６】
2006340218.tif 000008
【図７】
2006340218.tif 000009
【図８】
2006340218.tif 000010
【図９】
2006340218.tif 000011
【図１０】
2006340218.tif 000012
【図１１】
2006340218.tif 000013
【図１２】
2006340218.tif 000014